(57)【要約】【課題】起伏自在な底板を備えた運搬用台車において、底板のロック機構を、操作がし易く且つ簡易な構造で構成する。【解決手段】背面枠、左右側面枠及び起伏自在な底板を備えた運搬用台車において、底板の前端両側下部にロックピンをそれぞれ固定し、底板を倒伏させた状態でロックピンが臨む左右側面枠の下部に、ロックピンが進入可能な幅で鉤状に湾曲した凹溝を有する係合片をそれぞれ固定するとともに、底板後端と背面枠下部の連結部を底板の回転支点が前後方向と上下方向とに変位し得るように構成し、ロックピンが係合片の凹溝の最下端に進入した位置でロックピンの上方に突き出た凹溝に面する突部がロックピンの上方への移動を規制して底板の倒伏状態が保持されるように構成する。【選択図】図１１
2008254528.tif 000002
【特許請求の範囲】
【請求項１】
背面枠の両側に左右側面枠を対向配置し、これら面枠の内側下端間に方形の底板を架設するとともに底板の後端を背面枠の下部に回転可能に連結して、底板を起伏自在に取り付けてなる運搬用台車において、
底板の前端両側下部にロックピンをそれぞれ固定し、
底板を倒伏させた状態で前記ロックピンが臨む左右側面枠の下部には、ロックピンが進入可能な幅で上縁から下り傾斜しながら後方へ湾曲した鉤状の凹溝が切り欠かれた係合片をそれぞれ固定するとともに、
底板後端と背面枠下部の連結部を底板の回転支点が前後方向と上下方向とに変位し得るように構成し、
底板のロックピンが係合片の凹溝の最下端に進入した位置でロックピンの上方に突き出た当該凹溝に面する係合片の突部がロックピンの上方への移動を規制して底板の倒伏状態が保持されるように構成されていることを特徴とする運搬用台車。
【請求項２】
背面枠の下部に、前後に長く且つ後端が前端よりも上下に幅広とした略三角形の長孔を設け、この長孔に底板の後端を回転可能にピン結合させた構成を有する請求項１に記載の運搬用台車。
【請求項３】
底板の両側面に突部を一体に形成し、底板を起立させたときに前記両突部が左右側面枠の外枠間を乗り越えて通過した後に当該両外枠に係合することにより底板の起立状態が保持されるように構成されていることを特徴とする請求項１又は２に記載の運搬用台車。
【発明の詳細な説明】
【技術分野】
【０００１】
本発明は、荷物を運搬する際に使用される運搬用台車に関する。
【背景技術】
【０００２】
荷物の運搬に用いられる運搬用台車として、背面枠とその両側に対向配置した左右側面枠の間に底板を起伏自在に取り付けるとともに、左右側面枠の一方又は両方を背面枠側へ折り畳めるように構成し、不使用時に背面枠と平行に起立させた底板に左右側面枠を折り重ね、複数台をネスティング状態で保管することができるように構成されたものが知られている。
【０００３】
このように構成された運搬用台車は、荷物を載せていない状態で台車を移送する際に底板が振動して起き上がったり、荷物を載せた台車をフォークリングする際に底板に載せた荷物が荷崩れしたりすることを防止するため、倒伏させた底板を左右側面枠に固定して底板の倒伏状態を保持するロック機構を備えているのが一般的である（例えば特許文献１、２、３、４参照）。
【０００４】
【特許文献１】特許第２６２９５２２号公報
【特許文献２】特許第３３８２０６６号公報
【特許文献３】特許第３４９６２０２号公報
【特許文献４】実用新案登録第３００５２２３号公報
【発明の開示】
【発明が解決しようとする課題】
【０００５】
運搬用台車の底板に設けられた従来のロック機構は、底板の前端下側に、操作棒を底板に対して前後方向又は左右方向へ進退自在に取り付け、或いは屈曲した操作部を回転自在に取り付け、左右側面枠の下部には操作棒の端部が係合する係合部位をそれぞれ設けておき、底板を倒伏させた状態で操作棒を進退操作或いは回転操作して、係合部位に操作棒の端部を係合させることにより底板を倒伏状態に保持し、係合部位から操作棒の端部を離脱させることにより底板を背面枠側へ起立させることができるように構成されていた。
【０００６】
このような従来のロック機構は、何れのものも、底板のロック及びロックの解除に操作棒を操作することを必要としており、底板を起伏させる度に、作業者は運搬用台車の前で屈み、操作棒を把持して操作しなければならず、取り扱いが面倒であった。また、底板の下側で操作棒を進退或いは回転自在に取り付けてあるため、機構が複雑で台車の製作にコストを要し、また、分秒を惜しんで荷物を運搬していると、いきおい台車の取り扱いが乱暴になりやすく、可動部位である操作棒の取り付け部を破損させ易いという問題があった。
【０００７】
本発明は従来技術の有するこのような問題点に鑑み、起伏自在な底板を備えた運搬用台車において、底板のロック機構を操作がし易く且つ簡易な構造で構成することを課題とする。
【課題を解決するための手段】
【０００８】
前記課題を解決するため本発明の運搬用台車は、背面枠の両側に左右側面枠を対向配置し、これら面枠の内側下端間に方形の底板を架設するとともに底板の後端を背面枠の下部に回転可能に連結して、底板を起伏自在に取り付けてなる台車であって、
底板の前端両側下部にロックピンをそれぞれ固定し、
底板を倒伏させた状態で前記ロックピンが臨む左右側面枠の下部には、ロックピンが進入可能な幅で上縁から下り傾斜しながら後方へ湾曲した鉤状の凹溝が切り欠かれた係合片をそれぞれ固定するとともに、
底板後端と背面枠下部の連結部を底板の回転支点が前後方向と上下方向とに変位し得るように構成し、
底板のロックピンが係合片の凹溝の最下端に進入した位置でロックピンの上方に突き出た当該凹溝に面する係合片の突部がロックピンの上方への移動を規制して底板の倒伏状態が保持されるように構成されていることを特徴とするものである。
【０００９】
前記構成において、底板後端と背面枠下部の連結部を底板の回転支点が前後方向と上下方向とに変位可能とするため、背面枠の下部に、前後に長く且つ後端が前端よりも上下に幅広とした略三角形の長孔を設け、この長孔に底板の後端を回転可能にピン結合させた構成とすることができる。
【００１０】
また、前記構成において、背面枠と平行に起立させた底板を固定するため、底板の両側面に突部を一体に形成し、底板を起立させたときに前記両突部が左右側面枠の外枠間を乗り越えて通過した後に当該両外枠に係合することにより底板の起立状態が保持されるように構成することができる。
【００１１】
本発明の運搬用台車によれば、底板は背面枠の下部に回転自在に連結しており、これを前方へ倒すとその下部両側に固定された一対のロックピンが左右側面枠の下部に固定された係合片の鉤状の凹溝内に進入する。底板と背面枠下部との連結部は底板の回転支点が前後方向と上下方向とに変位可能に、つまり回転支点が前後上下にある程度の幅移動し得るように設けてあるので、底板のロックピンは係合片の凹溝に沿って没入し、ロックピンが係合片の凹溝の最下端に進入した位置で凹溝に面する係合片の突部がロックピンの上方に覆い被さってロックピンの移動を規制し、これにより底板は倒伏状態に保持され、背面枠と左右側面枠内にロックされる。
一方、倒伏状態の底板を立ち上げるときは、台車の前方で底板の前端を手前に引きつつ上方へ持ち上げれば、一旦底板全体が前方へ変位した後、前記背面枠下部の連結部を支点として底板前端が上方へ回転するので、ロックピンを係合片の凹溝に沿って移動させてそのまま係合片から離脱させることが可能である。
【００１２】
本発明の運搬用台車は、背面枠の前方に底板を倒せば、そのままロックピンと係合片とが係合して、底板を倒伏状態に確実にロックすることができ、従来のような操作棒を操作する如き操作は不要なので、台車の取り扱いの便宜に優れ、また、ロックする機構が簡易であり、可動部位である操作棒が不要なので低廉なコストで製作することが可能である。
【００１３】
なお、本発明は、背面枠に対して左右側面枠の一方が折り重なって平面視Ｌ字形に折り畳まれる運搬用台車、Ｕ字底枠を備えていて左右側面枠がともに折り重なって平面視Ｉ字形に折り畳まれる運搬用台車の何れにも適用が可能である。
【発明を実施するための最良の形態】
【００１４】
本発明の好適な一実施形態を図面を参照して説明する。
図１は本発明の一実施形態の運搬用台車の外観図、図２は図１の台車の側面と背面を示した図、図３は図１の台車を折り畳んだ状態の外観図であり、図示されるように、本形態の運搬用台車１は、背面枠２の両側に左右側面枠３、４を対向配置して立設し、これら面枠２、３、４の内側下端間に方形の底板５を架設し、底板５の後端を背面枠２の下部に回転可能に連結して、底板５を起伏自在に取り付けて構成してある。
【００１５】
背面枠２は、断面Ｌ字形の下枠２１の上面に逆Ｕ字形の外枠２２を固定し、下枠２１と外枠２２で囲まれた部分に縦横の桟２３、２４を格子状に取り付けて形成してある。同様に、左右側面枠３、４も、それぞれ断面Ｌ字形の下枠３１、４１の上面に逆Ｕ字形の外枠３２、４２を固定し、下枠３１、４１と外枠３２、４２で囲まれた部分に縦横の桟３３、３４、４３、４４を格子状に取り付けて形成してある。
【００１６】
背面枠２の下枠２１と左側面枠３の下枠３１は平面視Ｌ字形をなす一体の枠として形成されており、左側面枠３の外枠３２は背面枠２の外枠２２の左側端部に連結具６、６を介して一体に連結してある。また、右側面枠４の外枠４２は、背面枠２の外枠２２の右側端部に連結具７、７を介して接続されて、当該連結具７、７周りで回転可能に設けてある。これら面枠２、３、４の下端四隅には、板体８が水平に設けられ、各板体８の下側にキャスター９が取り付けてある。そして、底板４を背面枠２の内側に起こした状態で、右側面枠４を背面枠３側へ回転し、折り重ねることにより、図３に示されるように、全体を平面視Ｌ字形に折り畳めるように設けてある。
【００１７】
底板５は、プラスチックを用い、射出成形により、コ字状に立設した各面枠２、３、４の下枠２１、３１、４１上にその後部と左右側部の三辺の周面下端が架設される大きさを有して方形状に形成してある。
【００１８】
より詳しくは、図４に示されるように、底板５は、方形の頂面５ａの周囲に適宜な高さの側壁５ｂを設けるとともに、頂面５ａの下側の対向側面間に鋼製の丸パイプ５１を装填するとともに複数のリブ５２を格子状に配して補強してある。頂面５ａには表裏を連通する複数のスリットを形成してある。また、底板５の前端両側下部にはロックピン５３、５３をそれぞれ固定してあり、後端両側の側壁５ｂには背面枠２との取付部５４、５４を一体に設け、さらに両側部の側壁５ｂには、適宜な幅で外方へ突出した突部５５、５５を一体に設けてある。
【００１９】
ロックピン５３、５３は、図５に示されるように、頂面５ａの下側にビス５６を介して固定した枠板５７に一体に溶接固定して、底板５の前辺と平行に配置してある。
【００２０】
取付部５４、５４は、図６に示されるように、底板５の後端部に形成された突段部５ｃの両側の側壁５ｂ、５ｂに、後述する連結ピン１０が挿通して当該ピンの上下両面を支持する一対のピン支持片５４ａ、５４ａとボルト１１が螺合するボルト受け片５４ｂとをそれぞれ突設して形成してある。
取付部５４、５４は、背面枠２の下部に固定された後述する連結片２５をピン支持片５４ａ、５４ａの間に挟んだ状態で連結ピン１０を挿通させることにより、当該ピンをピン支持片５４ａ、５４ａ間に軸止して、底板５が背面枠２の下部に回転自在に連結されるように設けてある。また、同図（Ｂ）に示されるように、連結ピン１０を前記各片に挿通させた状態で、ボルト受け片５４ｂに形成されたネジ孔５４ｃにボルト１１を螺合させることにより、当該螺合したボルト１１のボルト頭と突段部５ｃとの間に連結ピン１０が固定され、取付部５４から連結ピン１０が抜け落ちることを防止するように設けてある。
【００２１】
また、背面枠２の下部両側には、前記底板５の取付部５４、５４とピン結合して連結部を構成する連結片２５、２５を一体に固定してある。
連結片２５、２５は、図５に示されるように、背面枠２の下板２１の上面にそれぞれ固定されており、その面内に長孔２５ａを形成してある。
長孔２５ａは、前後に長く、その前端２５ａ１を連結ピン１０の外径よりも僅かに大きな開口幅とし、前端から後方へ孔の上辺２５ａ３を漸次上方へ傾斜させて孔の幅を広げ、一方、孔の下辺２５ａ４は水平に後方へ延長させるとともに、その後端２５ａ２で孔の下辺２５ａ４を下方に屈曲させ、当該後端２５ａ２で孔の上下辺を鉛直な辺２５ａ５で繋げて、後端２５ａ２を前端２５ａ１よりも上下に幅広とした略三角形状に設けてある。
【００２２】
さらに、左右側面枠３、４の下端には、図８に示されるように、その下板３２、４２の下側に取り付けられた板体７、７の上面であって、底板５を倒伏させた状態で前記ロックピン５３、５３が臨む対応位置に、鉤状の凹溝１２ａを有する係合片１２、１２を立設させて一体に固定してある。
係合片１２、１２に形成された凹溝１２ａは、図９に示されるように、当該係合片１２の上縁からロックピン５３が進入可能な幅で下り傾斜しながら後方へ略Ｌ字状に湾曲しているとともに、凹溝１２の最下端部１２ａ１で溝幅を上下に広げ、この最下端部１２ａ１に被さるようにして突部１２ａ２が溝内に面するように設けてある。
【００２３】
このように構成された本形態の運搬用台車１によれば、底板５の取付部５４、５４のピン支持片５４ａ、５４ａの間に背面枠２の連結片２５をそれぞれ装填した状態で各片に連結ピン１０を挿通して軸止することにより、底板５が背面枠２の下部に回転自在に連結し、底板５が起伏自在に取り付けられる。
【００２４】
連結片２５に連結ピン１０で軸止された底板５の取付部５４、５４は、図９に示されるように、連結ピン１０が連結片２５の長孔２５ａ内で前後方向と上下方向とに変位し得るように取り付けられており、連結ピン１０の変位に伴って底板５の回転支点が変位し、底板５は回転しながら前後方向と上下方向とに、長孔２５ａの範囲内でスライドし、スライドさせながら起伏操作することが可能である。
【００２５】
そして、背面枠２と平行に起立していた底板５を前方へ倒すと、図１０に示されるように、その下部に固定されたロックピン５３、５３が、左右側面枠３、４の先端下部に固定された係合片１２、１２の鉤状の凹溝１２ａ、１２ａ内にそれぞれ没入する。凹溝１２ａ、１２ａ内に没入したロックピン５３、５３は、凹溝１２ａの最下端部１２ａ１で、当該凹溝１２ａに面する突部１２ａ２がロックピン５３の上方に覆い被さるため、ロックピン５３の上方への移動が規制され、これにより底板５は起立動作不能となって倒伏状態に保持される。
倒伏状態の底板５は、図１１に示されるように、その側壁５ｂの下端が各面枠２、３、４の下板２１、３１、４１の上面に載って水平に保持される。
【００２６】
倒伏状態の底板５を立ち上げるときは、台車の前方で底板５の前端を手前に引きつつ上方へ持ち上げれば、底板５全体が一旦が前方へ変位し、これに伴い係合片１２の凹溝１２ａ内でロックピン５３が突部１２ａ２よりも上方へ移動するため、底板５を起立動作させることが可能となり、そのまま底板５の前端を持ち上げて背面枠２の内側に起立させることができる。
【００２７】
起立させた底板５は、図１２に示されるように、底板５の側面の突部５５、５５が、左右側面枠３、４の外枠３２、４２間を乗り越えるように底板５の前端を押し込み、両外枠３２、４２を通過させれば、その後、突部５５、５５が両外枠３２、４２に係合するため、底板５を起立させた状態に保持させることが可能である。
【００２８】
なお、図示した運搬用台車とこれを構成する各面枠及び底板の形態、背面枠と底板の連結部の形態は一例であり、本発明は図示した形態に限定されず、他の適宜な形態で構成することが可能である。
【図面の簡単な説明】
【００２９】
【図１】本発明の一実施形態の運搬用台車の外観図である。
【図２】図１の運搬用台車の右側面図と背面図である。
【図３】図１の運搬用台車を折り畳んだ状態の外観図である。
【図４】図１の運搬用台車に取り付けた底板の下面図である。
【図５】図４の底板のロックピン取付部位の要部断面図である。
【図６】（Ａ）は図５の底板の後端取付部の構成を拡大して示した図、（Ｂ）はＢ−Ｂ線切断端面図である。
【図７】図１の運搬用台車の背面枠の下部連結部の構成拡大図である。
【図８】（Ａ）は図１の運搬用台車の右側面枠の前端要部拡大外観図、（Ｂ）は係合片の拡大側面図である。
【図９】背面枠の連結部に底板の後端を連結した状態を拡大して示した図である。
【図１０】ロックピンが係合片に進入及び没入する状態を拡大して示した図である。
【図１１】底板を倒伏させた状態の底板と右側面枠の断面を示した図である。
【図１２】底板を起立させたときに側面枠の外枠に底板が係合した状態を拡大して示した図である。
【符号の説明】
【００３０】
１  運搬用台車、２  背面枠、２５  連結片、３  左側面枠、４  右側面枠、５  底板、５３  ロックピン、５４  取付部、５５  突部、６、７  連結具、８  板体、９  キャスター、１０  連結ピン、１１  ボルト、１２  係合片
【図１】
2008254528.tif 000003
【図２】
2008254528.tif 000004
【図３】
2008254528.tif 000005
【図４】
2008254528.tif 000006
【図５】
2008254528.tif 000007
【図６】
2008254528.tif 000008
【図７】
2008254528.tif 000009
【図８】
2008254528.tif 000010
【図９】
2008254528.tif 000011
【図１０】
2008254528.tif 000012
【図１１】
2008254528.tif 000013
【図１２】
2008254528.tif 000014